(57)【要約】【課題】箱形状の本体部を小型化でき、電気的性能が向上する端子を提供する。【解決手段】箱形状の本体部２と、本体部２より前方側に設けられた端子接触部２０と、本体部２より後方側に設けられた電線接続部３０とを有し、コネクタハウジングに収容される雄端子１であって、本体部２は、底壁３と、底壁３の両側端より立設された一対の側壁４，５と、一方の側壁４より延設された天壁６と、他方の側壁５より延設された補助壁７とを有し、補助壁７には、側端面７ａに開口するスリット１２が設けられ、スリット１２より前方側の分離箇所によってスタビライザ１３が設けられ、スリット１２より後方側の箇所によってタブ進入防止部１５が設けられ、天壁６には、側端面６ａに開口するスリット８が設けられ、スリット８より前方側の分離箇所によってスタビライザ補強部９が設けられ、スリット８より後方側の箇所によって係止部１０が設けられた。【選択図】図１
2014137945.tif 000002
【特許請求の範囲】
【請求項１】
箱形状の本体部と、前記本体部より前方側に設けられた端子接触部と、前記本体部より後方側に設けられた電線接続部とを有し、コネクタハウジングに収容される端子であって、
前記本体部は、底壁と、前記底壁の両側端より立設された一対の側壁と、一方の前記側壁より延設された天壁と、他方の前記側壁より延設された補助壁とを有し、
前記補助壁には、側端面に開口するスリットが設けられ、前記スリットより前方側の分離箇所によってスタビライザが設けられ、前記スリットより後方側の箇所によってタブ進入防止部が設けられ、
前記天壁には、側端面に開口するスリットが設けられ、前記スリットより前方側の分離箇所によってスタビライザ補強部が設けられ、前記スリットより後方側の箇所によって係止部が設けられたことを特徴とする端子。
【発明の詳細な説明】
【技術分野】
【０００１】
本発明は、コネクタハウジングに収容される端子に関する。
【背景技術】
【０００２】
この種の従来の端子としては、特許文献１に開示されたものがある。端子である雄端子５０は、図７及び図８に示すように、所定形状の導電性金属のプレートを折り曲げ加工することによって形成されている。雄端子５０は、箱形状の本体部５１と、この本体部５１より前方側に設けられた端子接触部７０と、本体部５１より後方側に設けられた電線接続部７１とを有する。
【０００３】
本体部５１は、底壁５２と、この底壁５２の両側端より立設された一対の側壁５３，５４と、一方の側壁５３より延設された天壁５５と、他方の側壁５４より延設された補助壁５６とを有する。
【０００４】
天壁５５には、スタビライザ５７と係止部５８を形成するための孔５９が形成されている。スタビライザ５７は、天壁５５の一部より一体に設けられている。係止部５８は、孔５９より前方の天壁５５の箇所によって設けられ、孔５９の前端面が係止面５８ａとされている。孔５９内は、弾性ランス（図示せず）の進入スペースとされている。
【０００５】
補助壁５６には、切欠部６１（図８に示す）が形成されている。この切欠部６１は、孔５９の開口にほぼ一致する形状に形成されている。つまり、孔５９の開口を塞がない寸法とされている。
【０００６】
スタビライザ５７は、コネクタハウジング（図示せず）の端子収容室に雄端子５０を挿入する際に、コネクタハウジング内のガイド溝に挿入されることによってガイドとなると共に、正規な端子向き以外（例えば、上下反対向き）での挿入を阻止する。係止部５８には、雄端子５０が端子収容室に収容された状態で弾性ランスが係止される。これにより、雄端子５０が端子収容室より抜け出ないように固定される。
【先行技術文献】
【特許文献】
【０００７】
【特許文献１】特開２００８−１５３０７４号公報
【発明の概要】
【発明が解決しようとする課題】
【０００８】
しかしながら、前記従来例の雄端子５０では、スタビライザ５７と係止部５８を形成するための孔５９を天壁５５に設けている。孔５９は、スタビライザ５７の長さ寸法と弾性ランスの進入スペースのいずれか大きい寸法以上とする必要があり、通常では長径の孔である。従って、本体部５１の寸法Ｌ２が長くなり、本体部５１を小型化できないという問題がある。
【０００９】
本体部５１の長さが長くなると、端子接触部７０から電線接続部７１の電線との導通箇所までの距離が長くなる。これにより、雄端子５０の電気抵抗が上昇し、雄端子５０の電気的性能が悪化する原因にもなる。
【００１０】
そこで、本発明は、前記した課題を解決すべくなされたものであり、箱形状の本体部を小型化でき、電気的性能が向上する端子を提供することを目的とする。
【課題を解決するための手段】
【００１１】
本発明は、箱形状の本体部と、前記本体部より前方側に設けられた端子接触部と、前記本体部より後方側に設けられた電線接続部とを有し、コネクタハウジングに収容される端子であって、前記本体部は、底壁と、前記底壁の両側端より立設された一対の側壁と、一方の前記側壁より延設された天壁と、他方の前記側壁より延設された補助壁とを有し、前記補助壁には、側端面に開口するスリットが設けられ、前記スリットより前方側の分離箇所によってスタビライザが設けられ、前記スリットより後方側の箇所によってタブ進入防止部が設けられ、前記天壁には、側端面に開口するスリットが設けられ、前記スリットより前方側の分離箇所によってスタビライザ補強部が設けられ、前記スリットより後方側の箇所によって係止部が設けられたことを特徴とする端子である。
【発明の効果】
【００１２】
本発明によれば、天壁と補助壁の双方にスリットを形成し、そのスリットによる分離箇所等を利用して、従来例のような孔を形成することなくスタビライザ補強部、係止部、スタビライザ、タブ進入防止部を設けるため、本体部の長さ方向の寸法が短くできる。従って、箱形状の本体部を小型化でき、端子の電気的性能が向上する。
【図面の簡単な説明】
【００１３】
【図１】本発明の一実施形態を示し、（ａ）は雄端子の斜視図、（ｂ）は雄端子の展開図である。
【図２】本発明の一実施形態を示し、図１（ａ）とは異なる方向から見た雄端子の斜視図である。
【図３】本発明の一実施形態を示し、（ａ）は雄端子の正面図、（ｂ）は（ａ）のＡ−Ａ線断面図である。
【図４】本発明の一実施形態を示し、（ａ）は雄端子の平面図、（ｂ）は雄端子の側面図、（ｃ）は雄端子の底面図である。
【図５】本発明の一実施形態を示し、雄端子がコネクタハウジング内に収容された状態を前方から見た図である。
【図６】本発明の一実施形態を示し、図５のＢ−Ｂ線断面図である。
【図７】従来例を示し、雄端子の斜視図である。
【図８】従来例を示し、雄端子の折り曲げ加工前の平面図（雄端子の展開図）である。
【発明を実施するための形態】
【００１４】
以下、本発明の一実施形態を図面に基づいて説明する。
【００１５】
図１〜図６は本発明の一実施形態を示す。図１〜図４に示すように、端子である雄端子１は、所定形状（図１（ｂ）に示す）の導電性金属のプレートを折り曲げ加工することによって形成されている。雄端子１は、箱形状の本体部２と、この本体部２の前方側に絞り連結部１９を介して設けられた端子接触部２０と、本体部２の後方側に絞り連結部２９を介して設けられた電線接続部３０とを有する。
【００１６】
端子接触部２０は、タブ形状である。端子接触部２０は、図１（ｂ）のａ線に沿って２つの面が折り重なるよう折り曲げられることによって形成されている。
【００１７】
電線接続部３０は、ワイヤバレル部３１とインシュレーションバレル部３２を有する。ワイヤバレル部３１とインシュレーションバレル部３２は、底壁３１ａ，３２ａと、この底壁３１ａ，３２ａの両側端より突設された一対の舌片部３１ｂ，３２ｂをそれぞれ有する。底壁３１ａ，３２ａは、内側に向かって緩い円弧状に折り曲げられている。ワイヤバレル部３１には、電線（図示せず）の端部が外皮が取り除かれた状態で、つまり、導体のみが加締め固定される。インシュレーションバレル部３２には、電線（図示せず）の端部が外皮を含めて加締め固定される。
【００１８】
本体部２は、底壁３と、この底壁３の両側端より立設された一対の側壁４，５と、一方の側壁４より延設された天壁６と、他方の側壁５より延設された補助壁７とを有する。
【００１９】
天壁６は、一方の側壁４に対し、図１（ｂ）のｄ線に沿って水平方向に折り曲げられている。天壁６には、その側端面６ａに開口するスリット８が設けられている。天壁６には、スリット８より前方側の分離箇所によってスタビライザ補強部９が設けられている。スタビライザ補強部９は、天壁６に対し、図１（ｂ）のｅ線に沿って下方に垂直に折り曲げることによって形成されている。スタビライザ補強部９は、下記するスタビライザ１３に近接、若しくは、当接している。これにより、スタビライザ補強部９は、スタビライザ１３の内側への変移や傾斜を阻止している。天壁６には、スリット８より後方側の箇所に係止部１０が設けられている。係止部１０は、天壁６の他の箇所よりも折り曲げによって若干だけ三角状に盛り上がっている。係止部１０の後端面が係止面１０ａとされている。天壁６の後方スペース、つまり、本体部２の後方スペースが弾性ランス４３の進入スペースとして利用されている。
【００２０】
補助壁７は、下記するスタビライザ１３を除いて他方の側壁５に対し、図１（ｂ）のｂ線に沿って水平方向に折り曲げされている。補助壁７は、天壁６の下面に折り重なるように配置されている。補助壁７には、その側端面７ａに開口するスリット１２が１箇所設けられている。補助壁７には、スリット１２より前方側の分離箇所によってスタビライザ１３が設けられている。スタビライザ１３は、他方の側壁５に対してストレートに配置され、垂直方向に突出している。補助壁７には、スリット１２より後方側の箇所にタブ進入防止部１５が設けられている。タブ進入防止部１５は、補助壁７に対し、図１（ｂ）のｃ線に沿って下方に垂直に折り曲げられている。タブ進入防止部１５は、本体部２の後方開口を塞ぐように配置されている。
【００２１】
このように構成された雄端子１は、図５及び図６に示すように、コネクタハウジング４０に収容される。図５及び図６において、コネクタハウジング４０には、複数の端子収容室４１と、相手コネクタ（図示せず）が嵌合されるコネクタ嵌合室４２が設けられている。各端子収容室４１は、その前端側がコネクタ嵌合室４２に開口し、後端側が外部に開口されている。コネクタハウジング４０には、各端子収容室４１に臨むように弾性ランス４３が設けられている。又、コネクタハウジング４０には、各端子収容室４１に沿ってガイド溝（図示せず）が設けられている。
【００２２】
次に、雄端子１の収容作業を説明する。雄端子１を端子収容室４１の後方側の開口より挿入する。すると、雄端子１の本体部２の前端が弾性ランス４３に干渉するが、弾性ランス４３が撓み変形して雄端子１の挿入が許容される。雄端子１を挿入完了位置まで挿入すると、雄端子１の端子接触部２０がコネクタ嵌合室４２に突出し、且つ、弾性ランス４３が復帰変形して係止部１０に係止される。これにより、雄端子１が端子収容室４１に位置決め状態で固定される。
【００２３】
スタビライザ１３は、コネクタハウジング４０の端子収容室４１に雄端子１を挿入する際に、コネクタハウジング４０内のガイド溝（図示せず）に挿入されることによってガイドとなると共に、正規な端子向き以外（例えば、上下反対向き）での挿入を阻止する。係止部１０には、雄端子１が端子収容室４１に収容された状態で弾性ランス４３が係止される。これによって雄端子１が端子収容室４１の抜け方向への移動が阻止される。タブ進入防止部１５は、既に雄端子１が収容された端子収容室４１に別の雄端子１が挿入されると、その別の雄端子１の挿入を阻止する。これによって、１つの端子収容室４１に複数の雄端子１が収容される事態を防止できる。
【００２４】
以上説明したように、補助壁７には、側端面７ａに開口するスリット１２が設けられ、スリット１２より前方側の分離箇所によってスタビライザ１３が設けられ、スリット１２より後方側の箇所によってタブ進入防止部１５が設けられ、天壁６には、側端面６ａに開口するスリット８が設けられ、スリット８より前方側の分離箇所によってスタビライザ補強部９が設けられ、スリット８より後方側の箇所によって係止部１０が設けられている。従って、天壁６と補助壁７の双方にスリット８，１２のみを形成し、そのスリット８，１２による分離箇所等を利用して、従来例のような孔を形成することなく、スタビライザ補強部９、係止部１０、スタビライザ１３、タブ進入防止部１５を設けるため、本体部２の長さ方向の寸法Ｌ１を短くできる。従って、箱形状の本体部２を小型化でき、雄端子１の電気的性能が向上する。
【符号の説明】
【００２５】
１  雄端子（端子）
２  本体部
３  底壁
４，５  側壁
６  天壁
７  補助壁
８，１２  スリット
９  スタビライザ補強部
１０  係止部
１３  スタビライザ
１５  タブ進入防止部
２０  端子接触部
３０  電線接続部
４０  コネクタハウジング
【図１】
2014137945.tif 000003
【図２】
2014137945.tif 000004
【図３】
2014137945.tif 000005
【図４】
2014137945.tif 000006
【図５】
2014137945.tif 000007
【図６】
2014137945.tif 000008
【図７】
2014137945.tif 000009
【図８】
2014137945.tif 000010